(57)【要約】【課題】ポケットや前襟等に簡単に装着でき、しかも製造コストを低減することができ、リサイクルも容易な名札等の衣服用クリップを提供すること。【解決手段】名札、名刺等のホルダー２１やカードが一体的または間接的に取付けられるベルト形基板１と、このベルト形基板１に対面するように設けられるクリップ板３とからなり、ベルト形基板１とクリップ板３に、クリップ板３がベルト形基板１に対して弾力的に圧接するように係合するオス突起６とメス孔７を形成する。【選択図】　図３
2004117501.tif 000002
【特許請求の範囲】
【請求項１】
名札、名刺等のホルダーやカードが一体的または間接的に取付けられるベルト形基板と、このベルト形基板に対面するように設けられるクリップ板とからなり、ベルト形基板とクリップ板に、オス突起とメス孔を形成し、このオス突起とメス孔によりクリップ板をベルト形基板に対して弾力的に圧接し、クリップ板の先端とベルト形基板との間に衣服を弾力的に挟むクリップ部を形成した名札等の衣服用クリップ。
【請求項２】
上記ベルト基板の上端に折り返し部を介してクリップ板を合成樹脂によって一体に成形している請求項１記載の名札等の衣服用クリップ。
【請求項３】
上記ベルト基板の下端に、名札、名刺等のホルダーやカードに形成された取付け孔に挿入し、クリップ板と反対側の面に折り返してベルト基板に固定する固定板を合成樹脂によって一体に成形している請求項１または２記載の名札等の衣服用クリップ。
【請求項４】
上記ベルト基板の下端に、カードホルダーを一体に形成した請求項２記載の名札等の衣服用クリップ。
【発明の詳細な説明】
【０００１】
【発明の属する技術分野】
この発明は、上着のポケットや前襟等を挟んで、名札、名刺等のホルダーやカードを簡単に取付けることができる名札等の衣服用クリップに関するものである。
【０００２】
【従来の技術】
従来、上着のポケットや前襟等に吊り下げる名札や名刺等のホルダーには、図８に示すように、名札部２１に設けた吊り下げベルト部２２の先端に、ポケットや前襟等を挟むクリップ２３が設けられている。
【０００３】
この従来のクリップ２３は、対向面に挟持部を形成した一対のクリップ板２３ａ、２３ｂと、バネ板２４の開放力に抗して、一方のクリップ板２３ｂを他方のクリップ板２３ａに圧接させる操作レバー２５とから構成されるものが一般的であり、特許文献１や２にその例示がある。
【０００４】
【特許文献１】
特開平６−１１０３９０号公報
【特許文献２】
第３０７７４５６号登録実用新案公報
【０００５】
【発明が解決しようとする課題】
上記従来のカードホルダー等に使用されているクリップは、上記のように、一対のクリップ板の他に、バネ片や操作レバーが必要であるため、部品点数が多く、製品コストが高い。
また、上着のポケットや前襟等に吊り下げる場合に、一対のクリップ板の間に、ポケットや前襟等を挿入して、操作レバーをいちいち開いたり、閉じたりしなければならず、取り扱いが面倒であった。
また、金属製のバネ片と、合成樹脂製のクリップ板および操作レバーとが混在するため、リサイクルし難いという問題もある。
【０００６】
そこで、この発明は、非常に簡単に、ポケットや前襟等に装着でき、しかも製造コストを低減することができ、リサイクルも容易な名札等の衣服用クリップを提供しようとするものである。
【０００７】
【課題を解決するための手段】
この発明は、上記の課題を解決するために、名札、名刺等のホルダーやカードが一体的または間接的に取付けられるベルト形基板と、このベルト形基板に対面するように設けられるクリップ板とからなり、ベルト形基板とクリップ板に、クリップ板がベルト形基板に対して弾力的に圧接するように係合するオス突起とメス孔を形成したものである。
【０００８】
クリップ板は、ベルト形基板に対して弾力的に圧接するので、クリップ板の先端とベルト形基板との間に、上着のポケットや前襟を挿し込むだけで、名札、名刺等のホルダーの取付けを行うことできる。
【０００９】
また、上記ベルト形基板の上端に折り返し部を介してクリップ板を合成樹脂によって一体成形し、さらに、ベルト形基板の下端に、名札、名刺等のホルダーやカードに形成された取付け孔に挿入し、クリップ板と反対側の面に折り返して基板に固定する固定板を合成樹脂によって一体成形することにより、非常に安価に製造することが可能となり、リサイクルも容易である。
【００１０】
【発明の実施の形態】
以下、この発明に係る名札等の衣服用クリップの実施形態を説明する。
図１〜図３には、この発明に係る名札等の衣服用クリップの好ましい第１の実施形態を示している。
この第１の実施形態は、ベルト形基板１の上端に折り返し部２を介してクリップ板３を合成樹脂によって一体成形し、さらに、ベルト形基板１の下端に、名札、名刺等のホルダー２１に形成された取付け孔に挿入し、クリップ板３と反対側の面に折り返してベルト形基板３に固定する固定板４を合成樹脂によって一体成形したものである。
ベルト形基板３と固定板４との間には、薄肉の折り返し部５が形成されている。
上記クリップ板３と固定板４は、ベルト基板１に対して、互いに反対側に折り返されて、ベルト基板１に対面するように設けられている。
【００１１】
ベルト基板１とクリップ板３の上端寄りの部分には、クリップ板３がベルト形基板１に対して弾力的に圧接するように係合するオス突起６とメス孔７を形成しており、オス突起６の先端には、メス孔７の反対面に突き出てメス孔７の縁に強く引っかかるフック部８を形成している。また、ベルト基板１と対面するメス孔７の周縁には鍔部９が設けられている。ベルト基板１とクリップ板３の対向面には、それぞれ滑り止め突起１０ａ、１０ｂが形成されている。一方の滑り止め突起１０ａは、平行に一対形成され、他方の滑り止め突起１０ｂがその間に位置するように形成されている。
【００１２】
折り返し部５で折り返した固定板４とベルト基板１の対向面にも、オス突起１１とメス孔１２が形成され、オス突起１１をメス孔１２に嵌め入れることにより、固定板４をベルト基板１に固定することができる。
したがって、図３（ａ）（ｂ）に示すように、固定板４を名刺ホルダー２１の上端の取付け孔に挿入し、固定板４を折り返し部５で折り返してベルト基板１に固定することにより、名刺ホルダー２１を折り返し部５に吊り下げ支持することができる。
【００１３】
そして、ベルト基板１の上端のクリップ板３を折り返し部２で折り返して、クリップ板３とベルト形基板１のオス突起６のフック部８とメス孔７を強く引掛けると、クリップ板３が、ベルト基板１に対し弾力的に圧接するため、クリップ板３とベルト基板１との間に、図３（ｂ）に破線で示すような弾性を有するクリップ部１３が形成される。
【００１４】
このクリップ部１３を、上着のポケットや前襟等に差し入れることにより、名札ホルダーＡをポケットや前襟等に簡単に装着できる。
【００１５】
この発明に係る名札等の衣服用クリップは、上記のように、全体を合成樹脂により一体成形することが可能であるため、安価に製造することができ、また、用途に応じて種々のカラーのものを用意することが可能である。この発明に係る名札等の衣服用クリップを形成する合成樹脂としては、ポリアセタール等の弾性に富む材料を使用することが好ましい。
【００１６】
次に、図４は、この発明に係る名札等の衣服用クリップの第２の実施形態を示している。
この第２の実施形態は、クリップ板３を、ベルト形基板１や固定板４とは別体に形成した例である。固定板４、折り返し部５、オス突起６、フック部８、メス孔７、鍔部９、滑り止め突起１０ａ、１０ｂ等は、第１の実施形態と同一である。この第２の実施形態では、上記のように、クリップ板３とベルト形基板１とを別体に設けているので、オス突起６とメス孔７を係合しただけでは、オス突起６を軸にして、クリップ板３がベルト形基板１に対して回る恐れがあるため、両者の回り止めのために、オス突起６とメス孔７の上方に回り止め用の係合突起１４と係合孔１５を形成している。
【００１７】
次に、図５は、この発明に係る名札等の衣服用クリップの第３の実施形態を示している。
この第３の実施形態は、第２の実施形態と同様であるが、この第３の実施形態では、クリップ板３のベルト形基板１に対する圧接力をより強くするために、ベルト基板１の上端に切り起しにより、バネ片１６を形成している。
【００１８】
次に、図６および図７は、この発明に係る名札等の衣服用クリップの第４の実施形態を示している。
この第４の実施形態は、ベルト形基板１の下方に、カードホルダー１７を一体に形成した例である。また、この実施形態では、クリップ板３とベルト形基板１の対向面の滑り止めを、係合突条１９と係合溝２０によって行っている。
カードホルダー１７の表面側には、カードＣの上下辺を差し入れてカードＣを保持する舌片１８が、上下に平行に形成している。
【００１９】
【発明の効果】
以上のように、この発明に係る名札等の衣服用クリップは、オス突起とメス孔を強く引掛けることにより、クリップ板がベルト形基板に対して弾力的に圧接するので、クリップ板の先端とベルト形基板との間に、上着のポケットや前襟を挿し込むだけで、名札、名刺等のホルダーの取付けを行うことできる。
また、合成樹脂による一体成形が可能であるため、製造コストが安く、リサイクルも容易であり、種々のカラーのものを容易に作製可能である。
【図面の簡単な説明】
【図１】（ａ）はこの発明に係る名札等の衣服用クリップの第１の実施形態を展開して表面側から見た斜視図、（ｂ）はこの発明に係る名札等の衣服用クリップの第１の実施形態を展開して裏面側から見た斜視図である。
【図２】（ａ）はこの発明に係る名札等の衣服用クリップの第１の実施形態を展開した状態の縦断面図、（ｂ）はこの発明に係る名札等の衣服用クリップの第１の実施形態を展開した状態の裏面図である。
【図３】（ａ）はこの発明に係る名札等の衣服用クリップの第１の実施形態の使用状態を示す正面図、（ｂ）はこの発明に係る名札等の衣服用クリップの第１の実施形態の使用状態を示す断面図である。
【図４】（ａ）はこの発明に係る名札等の衣服用クリップの第２の実施形態を展開した状態の斜視図、（ｂ）はその使用状態を示す断面図である。
【図５】（ａ）はこの発明に係る名札等の衣服用クリップの第３の実施形態を展開した状態の斜視図、（ｂ）はその使用状態を示す断面図である。
【図６】（ａ）はこの発明に係る名札等の衣服用クリップの第４の実施形態を展開した状態を表面側から見た斜視図、（ｂ）はこの発明に係る名札等の衣服用クリップの第４の実施形態を展開した状態を裏面側から見た斜視図である。
【図７】（ａ）はこの発明に係る名札等の衣服用クリップの第４の実施形態を展開した状態の縦断面図、（ｂ）はこの発明に係る名札等の衣服用クリップの第４の実施形態を展開した状態の裏面図である。
【図８】（ａ）は従来例の部分側面図、（ｂ）は従来例の斜視図である。
【符号の説明】
１　ベルト形基板
２　折り返し部
３　クリップ板
４　固定板
５　折り返し部
６　オス突起
７　メス孔
８　フック部
９　鍔部
１０ａ、１０ｂ　滑り止め突起
１１　オス突起
１２　メス孔
１３　クリップ部
１４　係合突起
１５　係合孔
１６　バネ片
１７　カードホルダー
１８　舌片
１９　係合突条
２０　係合溝
２１　名刺ホルダー
【図１】
2004117501.tif 000003
【図２】
2004117501.tif 000004
【図３】
2004117501.tif 000005
【図４】
2004117501.tif 000006
【図５】
2004117501.tif 000007
【図６】
2004117501.tif 000008
【図７】
2004117501.tif 000009
【図８】
2004117501.tif 000010